(57)【要約】【課題】開閉扉を開けたときに感光体ドラムが保護されるレーザプリンタ装置を提供する。【解決手段】レーザプリンタ装置は、感光体ドラム１１と、感光体ドラム１１と対向するように配置された開閉扉１とを備える。開閉扉１を開ける動作と連動して感光体ドラム１１が移動するように形成された移動手段を備える。感光体ドラム１１の移動経路と開閉扉１との間に配置された保護カバー２を備える。開閉扉１を開いたときに、感光体ドラム１１が保護カバー２に隠れるように形成されている。【選択図】図２
2007148156.tif 000002
【特許請求の範囲】
【請求項１】
レーザプリンタ装置の後方に配置された感光体ドラムと、
前記感光体ドラムと対向するように配置され、開閉可能に形成されたリア扉と、
前記リア扉を開ける動作と連動して前記感光体ドラムが移動するように形成された移動手段と、
板状に形成され、前記感光体ドラムの移動経路と前記リア扉との間に配置された保護カバーと
を備え、
前記移動手段は、前記リア扉を開いたときに、前記感光体ドラムが上側に移動するように形成され、
前記保護カバーは、前記リア扉を開いたときに、前記感光体ドラムが隠れるように配置され、
前記保護カバーは、上端の幅方向に延びる軸を回動軸として回動可能に形成され、
前記保護カバーは、前記リア扉が開いた状態において、回動させることにより前記感光体ドラムが露出するように形成され、
前記リア扉が開いた状態において、前記保護カバーを回動させることにより、前記感光体ドラムを前記リア扉の開口から取り出すことができるように形成された、レーザプリンタ装置。
【請求項２】
感光体ドラムと、
前記感光体ドラムと対向するように配置された開閉扉と、
前記開閉扉を開ける動作と連動して前記感光体ドラムが移動するように形成された移動手段と
前記感光体ドラムの移動経路と前記開閉扉との間に配置された保護カバーと
を備え、
前記開閉扉を開いたときに、前記感光体ドラムが前記保護カバーに隠れるように形成された、レーザプリンタ装置。
【請求項３】
前記保護カバーは、回動可能に形成され、
前記保護カバーは、前記開閉扉を開いた状態において、前記保護カバーを回動させることによって前記感光体ドラムが露出するように形成された、請求項２に記載のレーザプリンタ装置。
【発明の詳細な説明】
【技術分野】
【０００１】
本発明は、レーザプリンタ装置に関する。
【背景技術】
【０００２】
紙などの被印刷物に対して印刷を行なうプリンタ装置の中にレーザビームを用いたプリンタ装置がある。レーザプリンタ装置は、感光体ドラムを備え、感光体ドラムに所定の形状でレーザビームが照射される。この後に、感光体ドラムにトナーが配置され、感光体ドラムに被印刷物を押し当てることによって印刷を行なう。
【０００３】
図５に、従来の技術に基づくレーザプリンタ装置の概略断面図を示す。レーザプリンタ装置は、筐体３０を備え、筐体３０の内部に各部品が配置されている。レーザプリンタ装置は、内部にトナーが配置されたトナーカートリッジ２５と、トナーを所望の形状に被印刷物に配置するための感光体ドラム１１と、被印刷物を適切な押圧力で感光体ドラム１１に押しつけるための転写ローラ１２とを備える。
【０００４】
被印刷物は、搬送経路５１に沿って移動する。搬送経路５１の周りには、被印刷物を用紙トレイ２６から取り出すためのピックローラ２１、被印刷物を搬送するための搬送ローラ２２およびトナーを被印刷物に定着させるための定着ローラ２３などの各種のローラが配置されている。
【０００５】
このレーザプリンタ装置は、筐体３０の背面に配置された開閉可能なリア扉１を備える。リア扉１は、矢印６１に示すように開閉可能に形成されている。リア扉１を閉じることにより、感光体ドラム１１と転写ローラ１２とが線接触するように形成されている。
【０００６】
転写ローラ１２は転写ローラガイド１３を介してリア扉１に固定されている。リア扉１を開けることにより、転写ローラ１２は、感光体ドラム１１から離れ、リア扉１とともに移動する。レーザプリンタ装置の後側から見たときに、リア扉１が開放されると感光体ドラム１１が露出する。
【０００７】
特開昭５７−２１１１８１号公報においては、本体の開放時には保護カバーが感光体ドラムなどの像担持体を覆い、また本体を閉じたときには保護カバーが退避して像担持体を露出させるように形成された画像形成装置が開示されている。この画像形成装置においては、感光体ドラムの周りに、保護カバーが配置され、保護カバーが移動可能に形成されている。
【０００８】
この画像形成装置によれば、ジャム処理などの場合でも、像担持体を損傷する恐れのない画像形成装置を提供することができると開示されている。
【０００９】
実開昭６２−１９３２４５号公報においては、可動感光体支持手段の一部を覆う被覆位置と可動感光体支持手段の一部を開放する開放位置との間を移動自在に配設されたカバー部材を備える画像生成機が開示されている。この画像生成機においては、前後方向に延びる旋回中心軸線を中心として開位置と閉位置との間を旋回自在に下部支持枠体に装着された上部支持枠体を備える。この画像生成機は、上部支持枠体を閉位置から開位置に変更すると、カバー部材は可動感光体支持手段の移動方向と同一の方向に移動して被覆位置に配置されるように形成されている。
【００１０】
この画像生成機によれば、可動感光体支持手段にシート部材が巻き付いた場合にも、巻き付いたシート部材を容易に除去することができると開示されている。
【００１１】
実開平５−８１８５４号公報においては、感光体ドラムに接触する現像スリーブを有する現像器を保持するための上部枠体を備え、上部枠体の開放動作と連動して、現像器を感光体ドラムから離反する方向に退避させる退避手段を備える電子写真式プリンタが開示されている。
【００１２】
この電子写真式プリンタにおいては、感光体ドラムを交換するために行なう上部枠体の開放動作と連動して、現像器を退避させるようにしたから、現像器による外部負荷の影響を受けずに、感光体ドラムを容易に装着することができると開示されている。
【特許文献１】特開昭５７−２１１１８１号公報
【特許文献２】実開昭６２−１９３２４５号公報
【特許文献３】実開平５−８１８５４号公報
【発明の開示】
【発明が解決しようとする課題】
【００１３】
レーザプリンタ装置においては、搬送ローラなどにより被印刷物の搬送経路が形成され、搬送経路に沿って紙などの被印刷物が１枚ずつ搬送される。被印刷物の搬送経路において、被印刷物が確実に搬送されずに紙詰まりが生じる場合がある。紙詰まりが生じた場合には、紙詰まりを生じた被印刷物を取り除く必要がある。このため、レーザプリンタ装置は、搬送経路の一部が開放状態にできるように形成されている。
【００１４】
図５に示す従来の技術におけるレーザプリンタ装置においては、リア扉１が開くことにより、搬送経路５１の一部分を露出させることができ、容易に詰まった紙などを除去することができる。または、筐体３０の内部に配置された各部品に故障が生じた場合においても、リア扉１を開くことによって、内部の部品の点検や交換などを容易に行なうことができる。
【００１５】
しかしながら、リア扉１を開放することにより、筐体３０の内部に配置された感光体ドラム１１が露出する。感光体ドラム１１は、傷つけられると機能を十分に発揮することができなくなる。たとえば、感光体ドラム１１に手が触れる程度の損傷であっても、感光体ドラムの機能が低下する場合がある。
【００１６】
従来の技術に基づくレーザプリンタ装置においては、たとえば、搬送経路にて詰まった紙などを取り除く際に、誤って感光体ドラムの表面に触れてしまったり、感光体ドラムを傷つけてしまったりするという問題があった。また、感光体ドラムが露出され、蛍光灯などの光が感光体ドラムに照射されると、トナーが感光体ドラムに付着する付着力が弱くなってしまい、この結果、所望の濃さよりも印刷が薄くなってしまうという問題があった。
【００１７】
本発明は、開閉扉を開けたときに感光体ドラムが保護されるレーザプリンタ装置を提供することを目的とする。
【課題を解決するための手段】
【００１８】
本発明に基づく一の局面におけるレーザプリンタ装置は、後方に配置された感光体ドラムと、上記感光体ドラムと対向するように配置され、開閉可能に形成されたリア扉とを備える。上記リア扉を開ける動作と連動して上記感光体ドラムが移動するように形成された移動手段を備える。板状に形成され、上記感光体ドラムの移動経路と上記リア扉との間に配置された保護カバーを備える。上記移動手段は、上記リア扉を開いたときに、上記感光体ドラムが上側に移動するように形成されている。上記保護カバーは、上記リア扉を開いたときに、上記感光体ドラムが隠れるように配置されている。上記保護カバーは、上端の幅方向に延びる軸を回動軸として回動可能に形成されている。上記保護カバーは、上記リア扉が開いた状態において、回動させることにより上記感光体ドラムが露出するように形成されている。上記リア扉が開いた状態において、上記保護カバーを回動させることにより、上記感光体ドラムを上記リア扉の開口から取り出すことができるように形成されている。
【００１９】
本発明に基づく他の局面におけるレーザプリンタ装置は、感光体ドラムと、上記感光体ドラムと対向するように配置された開閉扉とを備える。上記開閉扉を開ける動作と連動して上記感光体ドラムが移動するように形成された移動手段を備える。上記感光体ドラムの移動経路と上記開閉扉との間に配置された保護カバーを備える。上記開閉扉を開いたときに、上記感光体ドラムが上記保護カバーに隠れるように形成されている。
【００２０】
上記の他の局面におけるレーザプリンタ装置において、好ましくは、上記保護カバーは、回動可能に形成されている。上記保護カバーは、上記開閉扉を開いた状態において、上記保護カバーを回動させることによって上記感光体ドラムが露出するように形成されている。
【発明の効果】
【００２１】
本発明によれば、開閉扉を開けたときに感光体ドラムが保護されるレーザプリンタ装置を提供することができる。
【発明を実施するための最良の形態】
【００２２】
図１から図４を参照して、本発明に基づく実施の形態におけるレーザプリンタ装置について説明する。
【００２３】
図１に、本実施の形態におけるレーザプリンタ装置の概略断面図を示す。図１においては、向かって右側がレーザプリンタ装置の前側である。レーザプリンタ装置の各部品は、筐体３０の内側に配置されている。筐体３０の下部には、被印刷物としての紙やセロファンなどが配置される用紙トレイ２６が配置されている。用紙トレイ２６の端部の上方には、紙などを用紙トレイ２６から取出すためのピックローラ２１が配置されている。
【００２４】
紙などは、矢印６２に示すように、搬送経路５１に沿って搬送される。搬送経路５１の周りには、紙などを搬送するための搬送ローラ２２、トナーを所望の形状に被印刷物の表面に配置するための感光体ドラム１１および転写ローラ１２が配置されている。また、搬送経路５１の周りには、被印刷物に配置されたトナーを被印刷物の表面に定着させるための定着ローラ２３が配置されている。本実施の形態におけるレーザプリンタ装置は、紙などの被印刷物がレーザプリンタ装置の前側に向かって排出されるように形成されている。
【００２５】
定着ローラ２３は、定着対向ローラ２８と線接触するように配置されている。定着ローラ２３は、加熱手段を含み、被印刷物を搬送するとともに被印刷物を加熱することができるように形成されている。被印刷物の表面に配置されたトナーは、加熱されることにより被印刷物に定着する。定着対向ローラ２８の周りには、定着対向ローラ２８を保護するための定着ローラ枠体２９が配置されている。
【００２６】
筐体３０のほぼ中央部分には、トナーカートリッジ２５が配置されている。トナーカートリッジ２５の内部にはトナーが充填されている。トナーカートリッジ２５は、取換可能に形成されている。トナーカートリッジ２５の上方には、レーザユニット２７が配置されている。レーザユニット２７は、矢印６３に示すように、レーザビームを感光体ドラム１１に照射できるように形成されている。
【００２７】
感光体ドラム１１は、筐体３０の内部の後方に配置されている。感光体ドラム１１はディベロッパロール２４と接触するように配置されている。感光体ドラム１１の上部には、トナーを除去するためのクリーナ１５が配置されている。クリーナ１５は、被印刷物にトナーを配置した後に感光体ドラム１１に残存するトナーを除去することができるように形成されている。
【００２８】
レーザプリンタ装置の背面には、開閉扉として開閉可能なリア扉１が形成されている。本実施の形態におけるリア扉１は、平板状に形成されている。リア扉１は、下部に幅方向と平行な回転軸を有する。すなわち、リア扉１は、底部の幅方向に延びる軸を回転軸として、開閉可能になるように形成されている。リア扉１は、矢印６１に示すように、回動可能に形成されている。リア扉１は、リア扉１を閉じたときに感光体ドラム１１と対向するように配置されている。
【００２９】
転写ローラ１２の周りには、転写ローラ１２の一部を囲むように、転写ローラガイド１３が形成されている。転写ローラ１２および転写ローラガイド１３は、リア扉１に固定され、リア扉１と一体的に動くように形成されている。
【００３０】
感光体ドラム１１と転写ローラ１２とは、リア扉１を閉じたときにそれぞれの回転軸同士が互いに平行になるように配置されている。感光体ドラム１１と転写ローラ１２とは、リア扉１を閉じたときに線接触するように形成されている。転写ローラ１２は、リア扉１を閉じたときに、図示しない弾性手段によって感光体ドラム１１に向かって付勢されている。
【００３１】
感光体ドラム１１、転写ローラ１２、ディベロッパロール２４などの各種のローラは、円柱状に形成されている。転写ローラ１２を除く各種のローラは、レーザプリンタ装置の本体に支持されている。
【００３２】
搬送ローラ２２の後側には、搬送ローラ２２の一部を覆うようにガイドフレーム１４が配置されている。ガイドフレーム１４は、板状に形成されている。ガイドフレーム１４は、リア扉１が開いても搬送ローラ２２が露出しないように形成されている。
【００３３】
本実施の形態におけるレーザプリンタ装置は、矢印６４に示すように、感光体ドラム１１が上下方向に移動可能に形成されている。移動経路５２は、感光体ドラム１１が移動したときに、感光体ドラム１１の断面形状の円の中心の軌跡を示す。本実施の形態におけるレーザプリンタ装置は、リア扉１を開ける動作と連動して、感光体ドラム１１が移動するように形成された移動手段を備える。移動手段は、ギヤやカムなどの公知の手段によって形成されている（図示せず）。
【００３４】
移動手段は、リア扉１を開いたときに、感光体ドラム１１が上側に移動するように形成されている。移動手段は、リア扉１を閉じたときに、感光体ドラム１１が下側に移動して、ディベロッパロール２４と接触するように形成されている。
【００３５】
図１において、本実施の形態におけるレーザプリンタ装置は、移動経路５２とリア扉１との間に配置された保護カバー２を備える。保護カバー２は、リア扉を開いたときに、感光体ドラム１１が隠れるように配置されている。本実施の形態における保護カバー２は、定着ローラ枠体２９に支持されている。保護カバー２は、板状に形成され、レーザプリンタ装置の使用時においては、主表面が鉛直方向とほぼ平行になるように配置されている。
【００３６】
図２に、本実施の形態におけるレーザプリンタ装置において、リア扉を開いたときの概略断面図を示す。リア扉１を開くことにより、感光体ドラム１１が上側に移動する。本実施の形態においては、感光体ドラム１１とクリーナ１５とが一体的に移動する。感光体ドラム１１は、上側に移動することにより、保護カバー２に隠れる。
【００３７】
図３に、リア扉を開いたときの概略背面図を示す。リア扉１を開くことにより、保護カバー２の裏側に感光体ドラム１１が配置される。このため、紙詰まり処理などの作業中に誤って、感光体ドラム１１に触ってしまったり、工具をぶつけたりすることなどを防止できる。すなわち、リア扉１を開いたときの作業中に、感光体ドラム１１が損傷することを防止できる。また、リア扉１を開いたときに、感光体ドラム１１に蛍光灯などの光が照射されることを防止できる。このため、感光体ドラム１１の劣化を防止できる。
【００３８】
リア扉１を閉じることにより、感光体ドラム１１は下降して印刷を行なうための所定の位置に復帰する。
【００３９】
図２を参照して、本実施の形態における保護カバー２は、矢印６５に示すように、回動可能に形成されている。保護カバー２は、上端の幅方向に延びる軸を回動軸として回動するように形成されている。
【００４０】
図４に、本実施の形態における保護カバーの部分の拡大概略断面図を示す。リア扉１を開いた状態において、保護カバー２を回動する。保護カバー２は、主表面がほぼ水平になるように配置される。後ろ側から見たときに、感光体ドラム１１が露出する。
【００４１】
感光体ドラム１１は、印刷回数や使用時間などによって交換が必要である。感光体ドラム１１を交換する際に保護カバー２を回動することにより、感光体ドラム１１を、矢印６６に示す向きに引抜くことができる。このように、保護カバーが回動可能に形成されていることにより、容易に感光体ドラム１１を取り替えることができる。
【００４２】
本実施の形態における保護カバーは、定着ローラ枠体に支持されているが、この形態に限られず、保護カバーは、任意の部材に支持されていても構わない。また、本実施の形態における保護カバーは平板状に形成されているが、この形態に限られず、任意の形状を採用することができる。
【００４３】
また、本実施の形態においては、感光体ドラムが上下方向に移動するように形成されているが、この形態に限られず、任意の方向に移動させることができる。感光体ドラムを移動させる移動手段としては、リア扉を開いた状態において、感光体ドラムが保護カバーに隠れる位置に移動するように形成されていれば構わない。
【００４４】
また、開閉扉としては、リア扉に限られず、任意の位置に配置された扉を採用することができる。
【００４５】
上記の実施の形態に係るそれぞれの図面において、同一または相当する部分には、同一の符号を付している。
【００４６】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００４７】
【図１】本発明に基づく実施の形態におけるレーサプリンタ装置の第１の概略断面図である。
【図２】本発明に基づく実施の形態におけるレーザプリンタ装置の第２の概略断面図である。
【図３】本発明に基づく実施の形態におけるレーザプリンタ装置の概略背面図である。
【図４】本発明に基づく実施の形態における保護カバーの部分の拡大概略断面図である。
【図５】従来の技術に基づくレーザプリンタ装置の概略断面図である。
【符号の説明】
【００４８】
１  リア扉、２  保護カバー、１１  感光体ドラム、１２  転写ローラ、１３  転写ローラガイド、１４  ガイドフレーム、１５  クリーナ、２１  ピックローラ、２２  搬送ローラ、２３  定着ローラ、２４  ディベロッパロール、２５  トナーカートリッジ、２６  用紙トレイ、２７  レーザユニット、２８  定着対向ローラ、２９  定着ローラ枠体、３０  筐体、５１  搬送経路、５２  移動経路、６１〜６６  矢印。
【図１】
2007148156.tif 000003
【図２】
2007148156.tif 000004
【図３】
2007148156.tif 000005
【図４】
2007148156.tif 000006
【図５】
2007148156.tif 000007